(57)【特許請求の範囲】
【請求項１】
便座の後端部と、便座を覆う便蓋の後端部とを装置本体に回動自在に接続し、便座を加熱するための加熱手段を有した暖房便座において、便座上面の後端部に上方に突出する上向き突部を設け、便蓋下面の後端部に後方且つ下方の斜め下方に突出する下向き突部を設け、便蓋を閉めた際に下向き突部が便座の上向き突部の上面と便蓋の後端部下面との隙間を覆い且つその下端部の前面と上向き突部の上面の後端とが線接触するようにして成ることを特徴とする暖房便座。
【請求項２】
装置本体の上面の前端部に取付け用段部を形成し、装置本体の前記取付け用段部に面した側面に軸を設け、該軸に便座の後端部に設けた便座ヒンジ部を軸支して、便座を装置本体に対して回動自在とするものであって、装置本体の取付け用段部における便座ヒンジ部の下面に対向する部分に上向きに突出する当たり片を設け、便蓋の後端面に設けた後向き突部の後端部に、後方に突出すると共に便蓋を開いた際に後端部が装置本体の当たり片の後面に当接して便蓋の開く角度を制限する突起片を設けて成ることを特徴とする請求項１記載の暖房便座。
【発明の詳細な説明】
【０００１】
【発明の属する技術分野】
本発明は、便座からの放熱を防止できる暖房便座に関するものである。
【０００２】
【従来の技術】
従来から使用者が冷たさによる不快感を感じることがないように便器１０に下記のような暖房便座を取付けることが知られている。従来の暖房便座は便座２を加熱するための加熱手段を有しており、この従来の暖房便座は図１２に示すように便器１０の上面に配設され、便座２と、便座２を覆うための便蓋３′と、便座２と便蓋３′との後端部を回動自在に接続した装置本体４′とから構成されている。装置本体４′は内部の水を便器１０に排水できるロータンク９を上面に設けており、このロータンク９は限られたトイレ空間のスペースを広くするために装置本体４′と一体に設けられている。また装置本体４′の上面の前端部の幅方向における両側端部には取付け用段部１２が形成されており、取付け用段部１２に面した装置本体４′の両側面には外側方に突出する軸１３が設けられている。また便蓋３′の後面の両端部には軸受け部１４を有している。
【０００３】
上記従来の暖房便座を設けた便器１０を使用する場合は、便蓋３′を起立するように回
動させて便器１０を使用可能の状態とし、便座２に着座して用を足す。この時使用者が着座した便座２の上面は使用前に加熱手段によって人肌程度まで加熱されているため、使用者が便座２に座っても冷たさによる不快感を感じることはない。便器１０の使用が終わった後は便蓋３′を回動して便座２の上面を便蓋３′の下面で覆うことで便座２から外気への放熱を防止している。
【０００４】
しかしながら従来の暖房便座は便座２の上面を便蓋３′の下面で覆っているだけにすぎず、便蓋３′の後端部の下面と便座２の後端部の上面との間には隙間ができてしまうため、この隙間から便座２と便蓋３′との間の空気が外部に漏れてしまい、便座２を十分に保温できなかったり、便座２を暖めるための加熱手段の消費電力が大きくなってしまったりしていた。
【０００５】
また、暖房便座には便蓋３′の回動を停止するものが設けられていないため、便蓋３′を開けた場合、便蓋３′の上面前部が装置本体４′に設けられたロータンク９に接触してしまいロータンク９や便蓋３′を傷つけてしまったり、便蓋３′の後端部に設けた軸受け部１４の上面が装置本体４′の取付け用段部１２に面した前面に接触してしまい、装置本体４′や便座２を傷つけてしまったりして、見栄えを悪くしていた。加えて、便座２の後端部は軸１３によって軸支されているだけにすぎず、使用者が便座２に着座する等して便座２に下向きの荷重が作用した場合、軸１３や軸受け部１４が破損してしまうといった問題があった。
【０００６】
また上記したロータンク９や装置本体４′の傷付きを防止するために、ロータンク９や装置本体４′に緩衝材を設けたり、ロータンク９の配置を変更したものが知られているが、前者は緩衝材を設けることで見栄えが悪くなり、後者はトイレのスペースが狭くなる等の別の問題が生じてしまっていた。
【０００７】
【発明が解決しようとする課題】
本発明は上記の点に鑑みてなされたものであり、便座の保温性を高めて加熱手段の消費電力を抑え、しかも外観の美しい暖房便座を提供することを課題としたものである。
【０００８】
【課題を解決するための手段】
上記課題を解決するために本発明に係る暖房便座は、便座２の後端部と、便座２を覆う便蓋３の後端部とを装置本体４に回動自在に接続し、便座２を加熱するための加熱手段を有した暖房便座１において、便座２上面の後端部に上向き突部５を設け、便蓋３下面の後端部に後方且つ下方の斜め下方に突出する下向き突部６を設け、便蓋３を閉めた際に下向き突部６が便座２の上向き突部５の上面と便蓋３の後端部下面との隙間を覆い且つその下端部の前面と上向き突部５の上面の後端とが線接触するようにして成ることを特徴とする
このように暖房便座１を構成することで、便座２の熱が便蓋３の後端部の下面と便座２の後端部の上面との間の隙間から外気に漏れることを防止でき、便座２を十分に保温することができる。また寸法誤差やがたつき等で上向き突部５の上面と下向き突部６との間に隙間ができないようにできる。
【０００９】
また請求項２記載の暖房便座は請求項１記載の暖房便座において、装置本体４の上面の前端部に取付け用段部１２を形成し、装置本体４の前記取付け用段部１２に面した側面に軸１３を設け、該軸１３に便座２の後端部に設けた便座ヒンジ部１５を軸支して、便座２を装置本体４に対して回動自在とするものであって、装置本体４の取付け用段部１２における前記便座ヒンジ部１５の下面に対向する部分に上向きに突出する当たり片７を設け、便蓋３の後端面に設けた後向き突部１８の後端部に、後方に突出すると共に便蓋３を開いた際に後端部が装置本体４の当たり片７の後面に当接して便蓋３の開く角度を制限する突起片８を設けたことを特徴とするものである。
【００１０】
上記のように当たり片７に当接し便蓋３の開く角度を制限する突起片８を設けることで、使用者が便蓋３を開けた際に、便蓋３が必要以上に開くことがなくなり、便蓋３の上面で装置本体４や周囲のものを傷付けることを防止でき、また便蓋３自体が傷付くこともなくなる。また限られたトイレ空間のスペースを広くするためにロータンク９を装置本体４の上端部に一体に設けた暖房便座１においては、便蓋３の他端部でロータンク９を傷付けることが防止できる。さらに当たり片７を便座２の後端部の下面に対向する位置に設ける
ことで、使用者が便座２に着座する等して便座２に下向きの荷重が作用したとしても、当たり片７が便座２の下面と接触し便座２を支持することができ、暖房便座１の便蓋３を回動するための部材に荷重が集中することがなくなるものである。また上記突起片８は便座ヒンジ部１５によって隠されており、外観に現れないようにできる。
【００１１】
【発明の実施の形態】
以下、本発明を添付図面に示す実施形態に基づいて説明する。なお以下の説明で用いる方向は便座２と便蓋３とが共に閉じた状態における方向を用いている。
【００１２】
図２、３に示すように暖房便座１は便器１０の上面に配設され、便座２と、便座２を覆うための便蓋３と、便座２と便蓋３との後端部を回動自在に接続した装置本体４とから成る。装置本体４の上面後部にはロータンク９が載設されており、該ロータンク９はロータンク９側面に設けられた操作レバー１１を操作することでロータンク９内に貯えられた水を便器１０に排水し、便器１０を洗浄できるようになっている。上記ロータンク９は装置本体４と一体に設けられており、これによってトイレのスペースを広くしている。装置本体４の上面の前端部の幅方向における両側端部には取付け用段部１２が形成されており、幅方向における両取付け用段部１２の間には突出部２３を形成している。また取付け用段部１２に面した突出部２３の両側面には外側方に突出する軸１３が設けられている。
【００１３】
以下に上記軸１３に接続している便座２と便蓋３とについて説明する。装置本体４に取付けられる便座２には便座２の上面を加熱するための加熱手段（図示せず）が設けられている。便座２の後端面の幅方向における両端部よりもやや内側の部分には便座ヒンジ部１５を設けており、この便座ヒンジ部１５は便座２が装置本体５に対して回動自在となるように上述した軸１３に軸支されている。該軸１３は便座ヒンジ部１５を貫き、軸１３の先端は便座ヒンジ部１５から外側方に出ている。また便座２の後端部の背面視において便座ヒンジ部１５の内側部分には図４に示すように上向きに突出する上向き突部５が設けられている。
【００１４】
上記した便座２を覆うための便蓋３は図５に示すように後面の両端部に軸受け部１４を有しており、該軸受け部１４は上述した便座２の便座ヒンジ部１５から外側方に出ている軸１３の先端に軸支され、これによって便蓋３は装置本体４に対して回動自在となっており、しかして便座２と便蓋３とは同一軸で回動することとなる。便蓋３の後端部を除いた外周端部には便蓋３の後端部を除いた外周端部と便座２の後端部を除いた外周端部との間の隙間を覆うと共に便座２の後端面を除く外周端面を覆うための下向きに突出する側面覆い部１６を周設している。便蓋３の後端面の軸受け部１４を設けていない部分の幅方向における両端部には後向き突部１８がそれぞれ突出しており、便蓋３の後端面の両後向き突部１８の間に凹部１７を形成している。この凹部１７には装置本体４の突出部２３が配置されており、これによって便蓋３が突出部２３に干渉することなく回動できるようになっている。便蓋３の後端部の背面視における凹部１７を設けている部分には先端をやや後側に傾けて略下向きに突出する下向き突部６が設けられており、下向き突部６は便蓋３を閉めた際に上向き突部５の上面と便蓋３の後端部下面との隙間を覆い且つ下向き突部６の下端部の前面と上向き突部５の上面の後端部とが図１に示す接触点１９で線接触するように形成されている。また下向き突部６の先端は上記接触点１９よりもやや下方に伸びており、寸法誤差やがたつき等で上向き突部５の上面と下向き突部６との間に隙間ができないようにしている。さらに下向き突部６は先端をやや後側に傾け且つ側面視で回動軸芯である軸１３の中心と下向き突部６の後面下端部との距離Ａが軸１３の中心と装置本体４の突出部２３表面との最長距離Ｂよりも長くなるように設定することで、突出部２３と下向き突部６とが干渉しないようになっている。両後向き突部１８の内側端部には略下向きに突出し前端部を下向き突部６の両側端部に接続する内側面覆い部２０が設けられており、内側面覆い部２０は後向き突部１８の内側端部と便座ヒンジ部１５の内側端部との間の隙間を覆うように形成されている。また両後向き突部１８の後端部には略下向きに突出し内側端部を内側面覆い部２０の後端部に接続する隙間覆い部２１が設けられており、隙間覆い部２１は便座２と後向き突部１８の後端部との間の隙間を覆うように形成されており、下向き突部６と同様に便蓋３を回動しても隙間覆い部２１と便座ヒンジ部１５とが干渉しない
ように設定されている。
【００１５】
このような暖房便座１を設けた便器の非使用時は便座２と便蓋３とが閉じた状態となっており、下記のように便蓋３は便座２を覆っている。図１に示すように便器非使用時における便蓋３は便座２の上面を覆い、便蓋３の側面覆い部１６は便蓋３の後端部を除いた外周端部と便座２の後端部を除いた外周端部との間の隙間を覆うと共に便座２の後端面を除く外周端面を覆うように配置されている。このように側面覆い部１６で便蓋３の後端部を除いた外周端部と便座２の後端部を除いた外周端部との間の隙間を覆うと共に便座２の後端面を除く外周端面を覆っているため、便蓋３の後端部を除いた外周端部と便座２の後端部を除いた外周端部との間の隙間から便座２で発生した熱が外部に漏れることがなくなる。
【００１６】
また便器非使用時における便蓋３の下向き突部６は下端部が便座２の上向き突部５と当接し且つ上向き突部５の上面と便蓋３の後端部下面との隙間を覆うように配置される。このように下向き突部６で便座２上面の後端部と便蓋３下面の後端部との隙間を覆い且つ下向き突部６と上向き突部５とを当接させて密閉することで、便座２と便蓋３との間の暖められた空気が外部に漏れることを防止できる。また内側面覆い部２０は後向き突部１８の内側端部と便座ヒンジ部１５の内側端部との間の隙間を覆うように配置され、隙間覆い部２１は便座２と後向き突部１８の後端部との間の隙間を覆うように配置される。このように内側面覆い部２０、隙間覆い部２１とでそれぞれ後向き突部１８の内側端部と便座ヒンジ部１５の内側端部との間の隙間、便座２と後向き突部１８の後端部との間の隙間とを覆っているので、便座２と便蓋３との間の暖められた空気が便蓋３の後端部の下面と便座２の後端部の上面との間の隙間から外部に漏れることがより一層なくなり、便座２と便蓋３との間の暖められた空気の放熱を防止し、便座２をより一層保温することができるものである。
【００１７】
便器非使用時の状態から使用者が図１、６、７と示すように便蓋３を回動させて開くことで、便器１０を使用できる状態とすることができる。本実施形態では便蓋３を開けた際に便蓋３や便蓋３の周囲のロータンク９や装置本体４が傷付くことを防止し、便蓋３を回動するための部材（軸１３や軸受け部１４）の破損を防止するために暖房便座１を下記のように構成している。装置本体４の取付け用段部１２の便座ヒンジ部１５の下面に対向する部分（便座ヒンジ部１５の下方に位置する部分）には図８、９に示すように上向きに突出する当たり片７を設けている。この当たり片７の上面と便座ヒンジ部１５の下面の当たり片７の上面に対向する部分との距離は、使用者が着座する等して便座２に下向きの荷重が作用した場合、弾性範囲内のたわみの後、便座ヒンジ部１５の下面が突起片８の上面に当接するように設定されている。また便蓋３の後向き突部１８の後端部には図５、９に示すように後方に突出し且つ便蓋３を開いた際に当たり片７に当接して便蓋３の開く角度を制限する突起片８を設けている。この突起片８は便座ヒンジ部１５によって隠されており、外観には現れないようになっている。
【００１８】
上記便蓋３は図９、図１０、図１１に示すように順次回動させて開くことで便器使用状態となる。回動が進み便蓋３が図１１に示すように起立した状態になると、便蓋３に設けた突起片８の後端部が装置本体４の当たり片７の後面に当接し、それ以上便蓋３を開くことができなくなる。上記のように当たり片７と突起片８とを設けることで、便蓋３の上面の前部でロータンク９を傷付けることが防止でき、また便蓋３が傷付くこともなくなり、接触による音の発生もなくなる。さらに取付け用段部１２に面した装置本体４の前面と便蓋３の軸受け部１４の上面とが接触することがなくなり、この場合もまた装置本体４と便蓋３とを傷付けることが防止できる。
【００１９】
上記のように便蓋３を開いて便器使用状態とした後、便座２に着座して用を足す。この時便座２は加熱手段により暖められているため、使用者が冷たさによる不快感を感じることなく用を足すことができる。さらにこの場合、当たり片７を便座２の後端部である便座ヒンジ部１５の下面に対向する位置に設けてあるので、使用者が便座２に着座して便座２に下向きの荷重が作用したとしても、当たり片７が便座２の下面と接触し便座２を支持することができ、暖房便座１の便蓋３を回動するための軸１３や軸受け部１４に荷重が集中
して軸１３や軸受け部１４を破損することがなくなり、使用者が安心して便座に着座することができる。
【００２０】
【発明の効果】
上記のように本発明の請求項１記載の発明にあっては、便座と便蓋との間の熱が便蓋の後端部の下面と便座の後端部の上面との間の隙間から外部に漏れることを防止することで、便座を十分に保温することができ、また便座の加熱手段の消費電力を抑えることができるものである。また寸法誤差やがたつき等で上向き突部５の上面と下向き突部６との間に隙間ができないようにできる。
【００２１】
また請求項２記載の発明にあっては、上記請求項１記載の発明の効果に加えて、便蓋に当たり片に当接し便蓋の開く角度を制限する突起片を設けることで、便蓋が必要以上に開くことがなくなり、使用者が便蓋を開けた際に便蓋の上面で装置本体や周囲のものを傷付けることを防止でき、便蓋も傷付くことがなくなるため、外観を美しくすることができる。さらに当たり片を便座の一端部の下面に対向する位置に設けることで、使用者が便座に着座する等して便座に下向きに荷重が作用したとしても、当たり片が便座の下面と接触し便座を支持することができるために、暖房便座の便蓋を回動するための部材が破損することがなくなる。また上記突起片８は便座ヒンジ部１５によって隠されており、外観に現れないようにできる。
【図面の簡単な説明】
【図１】  本発明の一実施形態を示す側面断面図である。
【図２】  本発明の一実施形態を示す斜視図である。
【図３】  本発明の一実施形態を示す分解斜視図である。
【図４】  本発明の一実施形態を示す拡大斜視図である。
【図５】  本発明の便蓋を示す斜視図である。
【図６】  本発明の一実施形態を示す便蓋を開く途中の状態を示す側面断面図である。
【図７】  本発明の一実施形態を示す便蓋全開の状態を示す側面断面図である。
【図８】  本発明の他の実施形態を示す取付け用段部付近の拡大斜視図である。
【図９】  本発明の他の実施形態を示す側面断面図である。
【図１０】  本発明の他の実施形態を示す便蓋を開く途中の状態を示す側面断面図である。
【図１１】  本発明の他の実施形態を示す便蓋全開の状態を示す側面断面図である。
【図１２】  従来の暖房便座を示す斜視図である。
【符号の説明】
１  暖房便座
２  便座
３  便蓋
４  装置本体
５  上向き突部
６  下向き突部
７  当たり片
８  突起片
【図１】
0003636137.tif 000002
【図２】
0003636137.tif 000003
【図３】
0003636137.tif 000004
【図４】
0003636137.tif 000005
【図５】
0003636137.tif 000006
【図６】
0003636137.tif 000007
【図７】
0003636137.tif 000008
【図８】
0003636137.tif 000009
【図９】
0003636137.tif 000010
【図１０】
0003636137.tif 000011
【図１１】
0003636137.tif 000012
【図１２】
0003636137.tif 000013